(57)【特許請求の範囲】
【請求項１】
左右の縦枠と上下の横枠とにより枠組みされた枠体と、
前記枠体内に配置され、第１框体を有する第１障子と、
前記枠体内において、見込方向且つ上下方向に移動可能、又は、上下方向に移動可能に設けられ、閉鎖状態で前記第１障子の下方に配置され、第２框体を有する第２障子と、を備える建具であって、
前記第２障子は、前記第２框体に固定されたガイドと、一端寄りの部分が前記ガイドに対して回動可能に前記ガイドに接続されたアーム部と、を有し、
前記枠体は、前記第２障子の上下方向への移動時に、前記ガイドの移動を案内するガイド溝と、前記アーム部の他端寄りの部分を案内するアーム部ガイド溝と、を有し、
少なくとも前記第２障子は、３枚以上のガラスを有する複層ガラスを備え、
前記第２障子の見込方向且つ上下方向への移動時に前記ガイドが案内される前記ガイド溝の部分の形状は、一の半径を有する円弧の一部の形状により構成され、
前記ガイド溝は、前記一の半径を有する円弧の一部の形状を有する円弧状部と直線状部を有し、前記円弧状部は、前記ガイド溝の下端部を構成し、前記直線状部は、前記円弧状部の上端部よりも上側の前記ガイド溝の部分を構成している建具。
【請求項２】
滑車を備え、
前記第１障子は、上下方向へ移動可能に前記枠体に支持され、
前記第１障子と前記第２障子とは、連動可能に、前記滑車に掛けられた線状部材に接続されている請求項１に記載の建具。
【請求項３】
前記アーム部の他端部には被アーム部ガイドが接続され、前記被アーム部ガイドは、前記アーム部ガイド溝に案内され、
水平線と、前記ガイドと前記アーム部の他端寄りの部分とを結ぶ直線と、のなす角であって、前記被アーム部ガイドから屋内側に延びる水平線と、前記被アーム部ガイドから前記アーム部の一端部へ延びる前記アーム部と、の間のなす角は、４５°以上である請求項１又は請求項２に記載の建具。
【発明の詳細な説明】
【技術分野】
【０００１】
本発明は、建具に関する。
【背景技術】
【０００２】
従来、枠体と、枠体内の上部に配置される上障子と、枠体内の下部に配置される下障子と、を備え、閉鎖状態で、上障子及び下障子が同一平面内に配置される、いわゆるフラットスライド構造を備える上げ下げ窓（建具）が知られている（例えば、特許文献１、２参照）。上障子は、上框、下框及び左右の縦框を有する。下障子は、上框、下框及び左右の縦框を有する。また、ドアにおいても、上述のように、上障子と下障子とを備え、いわゆるフラットスライド構造を備える採風窓を有するものが知られている。
【先行技術文献】
【特許文献】
【０００３】
【特許文献１】特開２０１０−２１６１７２号公報
【特許文献２】特開２０１２−００１８９８号公報
【発明の概要】
【発明が解決しようとする課題】
【０００４】
上記公報に記載されている上障子及び下障子は、例えば、２枚のガラスを有する複層ガラスを備える。しかし、上障子及び下障子ついては、例えば、３枚以上のガラスを有する複層ガラスを備える構成も考えられる。このような構成を有する場合には、採風窓を開放するために下障子を引き上げる際に、ガラスの枚数が多いため非常に重く感じられる。
【０００５】
本発明は、上記課題に鑑みてなされたものであり、３枚以上のガラスを有する複層ガラスを備える下障子を引き上げる際に、下障子が重く感じられることを軽減可能な建具を提供することを目的とする。
【課題を解決するための手段】
【０００６】
上記目的を達成するため本発明は、左右の縦枠（例えば、後述の縦枠１３、縦枠１４）と上下の横枠（例えば、後述の横枠１１、横枠１２）とにより枠組みされた枠体（例えば、後述の枠体１０）と、前記枠体内に配置され、第１框体（例えば、後述の框体５０）を有する第１障子（例えば、後述の上障子５）と、前記枠体内において、見込方向且つ上下方向に移動可能、又は、上下方向に移動可能に設けられ、閉鎖状態で前記第１障子の下方に配置され、第２框体（例えば、後述の框体６０）を有する第２障子（例えば、後述の下障子６）と、を備える建具（例えば、後述の建具１）であって、前記第２障子は、前記第２框体に固定されたガイド（例えば、後述のガイド６４３）と、一端寄りの部分が前記ガイドに対して回動可能に前記ガイドに接続されたアーム部（例えば、後述のアーム部６４６）と、を有し、前記枠体は、前記第２障子の上下方向への移動時に、前記ガイドの移動を案内するガイド溝（例えば、後述のガイド溝４４ａ）と、前記アーム部の他端寄りの部分を案内するアーム部ガイド溝（例えば、後述のアーム部ガイド溝４４ｄ）と、を有し、少なくとも前記第２障子は、３枚以上のガラスを有する複層ガラスを備え、前記第２障子の見込方向且つ上下方向への移動時に前記ガイドが案内される前記ガイド溝の部分の形状は、一の半径を有する円弧の一部（例えば、後述の円弧状部４４ａ−１）の形状により構成されている建具を提供する。
【０００７】
また、滑車を備え、前記第１障子は、上下方向へ移動可能に前記枠体に支持され、前記第１障子と前記第２障子とは、連動可能に、前記滑車に掛けられた線状部材に接続されていることが好ましい。
【０００８】
また、水平線（例えば、後述の水平線Ｈ）と、前記ガイドと前記アーム部の他端寄りの部分とを結ぶ直線と、のなす角（例えば、後述のなす角ｄ）は、４５°以上であることが好ましい。
【発明の効果】
【０００９】
本発明によれば、３枚以上のガラスを有する複層ガラスを備える下障子を引き上げる際に、下障子が重く感じられることを軽減可能な建具を提供できる。
【図面の簡単な説明】
【００１０】
【図１】本発明の一実施形態に係る建具を屋外側から見た姿図である。
【図２】上記実施形態に係る建具を屋内側から見た姿図である。
【図３】上記実施形態に係る建具が開いた状態を示す斜視図である。
【図４】上記実施形態に係る建具の縦断面図である。
【図５】上記実施形態に係る建具の上下方向における中央部の横断面図である。
【図６】上記実施形態に係る建具の上下方向における上部の横断面図である。
【図７Ａ】上記実施形態に係る建具の採風窓が閉鎖されているときの、ガイド及びアーム部と、ガイド溝及びアーム部ガイド溝との位置関係を示す図である。
【図７Ｂ】上記実施形態に係る建具の下障子が上方向且つ見込方向へ移動しているときの、ガイド及びアーム部と、ガイド溝及びアーム部ガイド溝との位置関係を示す図である。
【図７Ｃ】上記実施形態に係る建具の下障子が上方向へのみ移動し始めるときの、ガイド及びアーム部と、ガイド溝及びアーム部ガイド溝との位置関係を示す図である。
【図７Ｄ】上記実施形態に係る建具の採風窓が全開の状態で開放されているときの、ガイド及びアーム部と、ガイド溝及びアーム部ガイド溝との位置関係を示す図である。
【発明を実施するための形態】
【００１１】
以下、本発明の一実施形態について、図面を参照しながら詳しく説明する。なお、本明細書において、「見付方向」とは、建物に形成された開口部に納められた建具における障子の面方向を意味し、「見込方向」とは、上記障子の厚さ方向を意味する。
【００１２】
図１は、本発明の一実施形態に係る建具１を屋外側から見た姿図である。図２は、上記実施形態に係る建具１を屋内側から見た姿図である。図３は、上記実施形態に係る建具１が開いた状態を示す斜視図である。図４は、上記実施形態に係る建具１の縦断面図である。図５は、上記実施形態に係る建具１の上下方向における中央部の横断面図である。図６は、上記実施形態に係る建具１の上下方向における上部の横断面図である。
建具１は、勝手口ドア等のドアである。建具１は、建物に形成された開口に納められる。建具１は、建物の開口に取り付けられる固定枠体２０と、固定枠体２０に開閉可能に嵌め込まれる戸体４と、を備える。
【００１３】
固定枠体２０は、上下の横枠としての固定上枠２１及び固定下枠２２と、左右の縦枠としての吊元側の固定縦枠２３及び戸先側の固定縦枠２４により矩形に枠組みされる。
戸体４は、スイング框体４０と、スイング框体４０に嵌め込まれる第１障子としての上障子５、及び、第２障子としての下障子６と、上障子５及び下障子６の屋外側に配置される格子７と、を備える。
【００１４】
スイング框体４０は、上下の横枠としてのスイング上框４１及びスイング下框４２と、左右の縦框としての吊元側のスイング縦框４３及び戸先側のスイング縦框４４により矩形に枠組みされる。
スイング上框４１は、戸体４の幅方向（左右方向）の中心よりも吊元側に寄って配置されるドアクローザ４１ｄを有する。ドアクローザ４１ｄは、固定上枠２１とスイング上框４１とを連結し且つ戸体４を自動的に閉じる。
戸先側のスイング縦框４４は、高さ方向の略中央部にドアノブ８ａを備える（図１及び図２）。また、戸先側のスイング縦框４４は、図２に示すように、屋内側のドアノブ８ａの上下に配置される錠の開閉を行うためのサムターン８ｂ，８ｃを備える。サムターン８ｂ，８ｃを回転させることで、デットボルト８ｅ、８ｆ（図３参照）を操作して建具１を施錠できる。
【００１５】
上障子５は、第１框体としての框体５０と、框体５０に嵌め込まれて固定されたガラス５５と、を備える。框体５０は、上框５１と、下框５２と、吊元側の縦框５３及び戸先側の縦框５４と、により矩形に框組みされる。
下障子６は、第２框体としての框体６０と、框体６０に嵌め込まれて固定されたガラス６５と、を備える。框体６０は、上框６１と、下框６２と、吊元側の縦框６３及び戸先側の縦框６４と、により矩形に框組みされる。
上障子５及び下障子６は、採風窓を構成する。具体的には、下障子６は、スイング框体４０内において見込方向且つ上下方向に移動可能、又は、見付方向に移動可能に設けられている。即ち、下障子６を屋内側に引きながら引き上げているときには、下障子６は、見込方向（屋内の方向）且つ見付方向（上方向）に移動しており、その後に、下障子６を上方へ引き上げているときには、下障子６は、上下方向にのみ移動する。上障子及び下障子は、いわゆるフラットスライド構造を備える。即ち、上障子５と下障子６とにより構成される採風窓が閉鎖された状態では、下障子６は、上障子５の下方の同一平面内に配置される。
【００１６】
建具１は、スイング縦框４３及びスイング縦框４４に沿って、上障子５を下方向に、下障子６を上方向にそれぞれ移動させて屋外と屋内とを連通させて採風することができる。框体６０の上框６１は、戸先側と吊元側の両端に配置され、下障子６を閉鎖状態に固定するためのスライドロック８ｄを有する。
【００１７】
戸体４は、屋内側からドアノブ８ａを把持して反時計回り回動し、デットボルト８ｅ、８ｆを操作しつつ、戸先側のスイング縦框４４を屋外側に押し出して、戸体４をピポットヒンジ（図示しない）の軸芯の回りに回動させることで開放することができる。
【００１８】
建物は、図示しない外壁材と、内壁材と、開口部の四周に渡って設けられた内装材と、を有する。また、建物は、外壁材と内壁材との間の開口部に沿って配置された図示しないフレーム材を有する。
【００１９】
図４に示すように、ガラス５５は、屋内側の板ガラス５５１と、屋外側の板ガラス５５２と、これら２枚の板ガラスの間に配置された中間ガラス５５３と、これら３枚の板ガラスで挟持されたスペーサ５５４と、を備える複層ガラスであり、優れた断熱性を有する。ガラス６５も、屋内側の板ガラス６５１と、屋外側の板ガラス６５２と、これら２枚の板ガラスの間に配置された中間ガラス６５３と、これら３枚の板ガラスで挟持されたスペーサ６５４と、を備える複層ガラスであり、優れた断熱性を有する。
【００２０】
固定上枠２１は、固定上枠本体２１１を有する。固定上枠本体２１１は、屋外側に配置される固定金属上枠２１３と、固定金属上枠２１３の屋内側に配置される固定樹脂上枠２１４と、を含んで構成される。
【００２１】
固定金属上枠２１３は、中空部を有するホロー構造である。固定金属上枠２１３は、屋内側の端部から略鉛直方向に延出して形成された固定金属上枠垂設部２１３ａを有する。固定樹脂上枠２１４は、固定金属上枠垂設部２１３ａの屋内側に取り付けられる。固定金属上枠垂設部２１３ａの下端の屋外側には、気密材２１３ｂが取り付けられる。
【００２２】
固定金属上枠２１３は、例えばアルミニウムで構成される。より具体的には、固定金属上枠２１３は、アルミニウムを押出成形することで得られる。
固定樹脂上枠２１４は、例えば塩化ビニル樹脂等の合成樹脂で構成される。より具体的には、固定樹脂上枠２１４は、塩化ビニル樹脂等の合成樹脂を押出成形することで得られる。
【００２３】
スイング上框４１は、スイング金属上框４１１と、スイング金属上框４１１の屋内側に配置されるスイング樹脂上框４１２と、スイング金属上框４１１の屋外側に配置される格子上縁４１３と、を含んで構成される。
【００２４】
スイング金属上框４１１は、中空部を有するホロー構造である。スイング金属上框４１１は、屋外側の端部から略鉛直方向に延出して形成されたスイング金属上框垂設部４１１ａを有する。スイング金属上框垂設部４１１ａの下端の屋内側には、気密材４１１ｂが取り付けられる。スイング樹脂上框４１２は、屋内側の端部から略鉛直方向に延出して形成されたスイング樹脂上框垂設部４１２ａを有する。スイング樹脂上框垂設部４１２ａの下端の屋内側には、モヘア部材４１２ｂが取り付けられる。スイング樹脂上框４１２は、屋内側において気密材２１３ｂと当接する。格子上縁４１３は、スイング金属上框垂設部４１１ａの屋外側に取り付けられる。スイング上框４１は、スイング金属上框垂設部４１１ａ及びスイング樹脂上框垂設部４１２ａによって形成される下方に開放した溝４１ａを有する。
【００２５】
スイング金属上框４１１及び格子上縁４１３は、例えばアルミニウムで構成される。より具体的には、スイング金属上框４１１及び格子上縁４１３は、アルミニウムを押出成形することで得られる。
スイング樹脂上框４１２は、例えば塩化ビニル樹脂等の合成樹脂で構成される。より具体的には、スイング樹脂上框４１２は、塩化ビニル樹脂等の合成樹脂を押出成形することで得られる。
【００２６】
上框５１は、金属上框５１１を含んで構成される。金属上框５１１は、屋外側において気密材４１１ｂと当接する。また、金属上框５１１は、屋内側において、モヘア部材４１２ｂに当接する。上框５１は、下方に開口して形成される溝を有し、ガスケット５１ｂを介してガラス５５の上端縁を挟持する。
【００２７】
下框５２は、金属下框５２１を含んで構成される。下框５２は、上方に開口して形成される溝を有し、ガスケット５２ｂを介してガラス５５の下端縁を挟持する。
【００２８】
金属上框５１１及び金属下框５２１は、例えばアルミニウムで構成される。より具体的には、金属上框５１１及び金属下框５２１は、アルミニウムを押出成形することで得られる。
【００２９】
上框６１は、金属上框６１１と、金属上框６１１の屋内側に配置される樹脂上框６１２と、を含んで構成される。金属上框６１１は、屋内側の端部から略鉛直方向に延出した金属上框立設部６１１ａを有する。樹脂上框６１２は、金属上框立設部６１１ａの屋内側に係合される。樹脂上框６１２は、下障子６を屋内側に引いてから引き上げるための取手としての役割を有する。上框６１は、下方に開口して形成される溝６１ａを有し、ガスケット６１ｂを介してガラス６５の上端縁を挟持する。
【００３０】
下框６２は、金属下框６２１と、金属下框６２１の屋内側に配置される樹脂下框６２２と、を含んで構成される。樹脂下框６２２は、金属下框６２１の屋内側に係合される。下框６２は、上方に開口して形成される溝６２ａを有し、ガスケット６２ｂを介してガラス６５の下端縁を挟持する。
【００３１】
金属上框６１１及び金属下框６２１は、例えばアルミニウムで構成される。より具体的には、金属上框６１１及び金属下框６２１は、アルミニウムを押出成形することで得られる。
樹脂上框６１２及び樹脂下框６２２は、例えば塩化ビニル樹脂等の合成樹脂で構成される。より具体的には、樹脂上框６１２及び樹脂下框６２２は、塩化ビニル樹脂等の合成樹脂を押出成形することで得られる。
【００３２】
スイング下框４２は、スイング金属下框４２１と、スイング金属下框４２１の屋内側に配置されるスイング樹脂下框４２２と、スイング金属下框４２１の屋外側に配置される格子下縁４２３と、を含んで構成される。
【００３３】
スイング金属下框４２１は、中空部を有するホロー構造である。スイング金属下框４２１は、屋外側の端部から略鉛直方向に延出して形成されたスイング金属下框立設部４２１ａを有する。スイング金属下框立設部４２１ａの上端の屋内側には、気密材４２１ｂが取り付けられる。気密材４２１ｂは、金属下框６２１の屋外側と当接する。気密材４２１ｂの内部には、空気層が形成されている。スイング樹脂下框４２２は、屋内側の端部から略鉛直方向に延出して形成されたスイング樹脂下框立設部４２２ａを有する。スイング下框４２は、スイング金属下框立設部４２１ａ及びスイング樹脂下框立設部４２２ａによって形成される上方に開放した溝４２ａを有する。
また、スイング下框４２の溝４２ａの底部には、気密材４２ｂが取り付けられる。気密材４２ｂは、金属下框６２１の下端に当接する。気密材４２ｂは中空の構成を有している。気密材４２ｂ、及び、気密材４２１ｂにより、下障子６の屋外側と屋内側とが気密とされ、空気層ｘ、ｙ、ｚが形成され、建具１は、優れた断熱性を有する。
格子下縁４２３は、スイング金属下框立設部４２１ａの屋外側に取り付けられる。
【００３４】
スイング金属下框４２１及び格子下縁４２３は、例えばアルミニウムで構成される。より具体的には、スイング金属下框４２１及び格子下縁４２３は、アルミニウムを押出成形することで得られる。
スイング樹脂下框４２２は、例えば塩化ビニル樹脂等の合成樹脂で構成される。より具体的には、スイング樹脂下框４２２は、塩化ビニル樹脂等の合成樹脂を押出成形することで得られる。
【００３５】
固定下枠２２は、固定下枠本体２２１を有する。固定下枠本体２２１は、屋外側に配置される固定金属下枠２２３と、固定金属下枠２２３の屋内側に配置される固定樹脂下枠２２４と、を含んで構成される。
【００３６】
固定金属下枠２２３は、中空部を有するホロー構造である。固定金属下枠２２３は、屋内側の端部から略鉛直方向に延出して形成された固定金属下枠立設部２２３ａを有する。固定樹脂下枠２２４は、固定金属下枠立設部２２３ａの上側に取り付けられる。固定樹脂下枠２２４の屋外側には、気密材２２４ａが取り付けられる。気密材２２４ａは、スイング樹脂下框４２２に当接する。
【００３７】
固定金属下枠２２３は、例えばアルミニウムで構成される。より具体的には、固定金属下枠２２３は、アルミニウムを押出成形することで得られる。
固定樹脂下枠２２４は、例えば塩化ビニル樹脂等の合成樹脂で構成される。より具体的には、固定樹脂下枠２２４は、塩化ビニル樹脂等の合成樹脂を押出成形することで得られる。
【００３８】
吊元側の固定縦枠２３は、固定縦枠本体２３１を有する。固定縦枠本体２３１は、屋外側に配置される固定金属縦枠２３３と、固定金属縦枠２３３の屋内側に配置される固定樹脂縦枠２３４と、を含んで構成される。
【００３９】
固定金属縦枠２３３は、中空部を有するホロー構造である。固定金属縦枠２３３は、屋内側の端部から戸先側に延出して形成された固定金属縦枠横設部２３３ａを有する。固定樹脂縦枠２３４は、固定金属縦枠横設部２３３ａに取り付けられる。固定樹脂縦枠２３４の先端の屋外側には、気密材２３４ａが取り付けられる。
【００４０】
固定金属縦枠２３３は、例えばアルミニウムで構成される。より具体的には、固定金属縦枠２３３は、アルミニウムを押出成形することで得られる。
固定樹脂縦枠２３４は、例えば塩化ビニル樹脂等の合成樹脂で構成される。より具体的には、固定樹脂縦枠２３４は、塩化ビニル樹脂等の合成樹脂を押出成形することで得られる。
【００４１】
吊元側のスイング縦框４３は、スイング金属縦框４３１と、スイング金属縦框４３１の屋内側に配置されるスイング樹脂縦框４３２と、スイング金属縦框４３１の屋外側に配置される格子縦縁４３３と、を含んで構成される。
【００４２】
スイング金属縦框４３１は、中空部を有するホロー構造である。スイング金属縦框４３１は、屋外側の端部から戸先側に延出して形成されたスイング金属縦框横設部４３１ａを有する。スイング金属縦框横設部４３１ａの先端の屋内側には、気密材４３１ｂが取り付けられる。格子縦縁４３３は、スイング金属縦框横設部４３１ａの屋外側に取り付けられる。  
【００４３】
スイング縦框４３は、スイング金属縦框横設部４３１ａ及びスイング樹脂縦框４３２の戸先側の部分によって形成され戸先側に開放した溝４３ｂ、ガイド溝４３ａ及びアーム部ガイド溝４４ｄ（図７Ａ等参照）を有する。溝４３ｂは、上障子５を見付方向に移動させる際、即ち、上障子５を下方向に移動させる際、また下方向に移動させた上障子５を元の状態に戻す際に、上障子５の吊元側の縦框５３から突出したガイド（図示しない）を案内する。
【００４４】
スイング縦框４３は、スイング樹脂縦框４３２によって溝４３ｂよりも屋外側に形成され且つ戸先側に開放した溝４３ａを有する。溝４３ａは、下障子６を見付方向に移動させる際、即ち、図４においては図示しない下障子６を上方向に移動させる際、また上方向に移動させた下障子６を元の状態に戻す際に、下障子６の吊元側の縦框６３から突出した図示しないガイド（戸先側ではガイド６４３（図７Ａ等参照））を案内する。また、溝４３ａに沿って、アーム部ガイド溝４４ｄ（図７Ａ等参照）が形成されている。アーム部ガイド溝４４ｄ（図７Ａ等参照）は、下障子６を見付方向に移動させる際、即ち、図４においては図示しない下障子６を上方向に移動させる際、また上方向に移動させた下障子６を元の状態に戻す際に、後述の被アーム部ガイド６４７を案内する。
【００４５】
更に、吊元側のスイング縦框４３の上部は、溝４３ａの内部に配置される図示しない滑車を有する。滑車は、上障子５及び下障子６に一端部及び他端部が接続されて、上障子５及び下障子６を繋ぐ線状部材としての図示しないワイヤが引っ掛けられる。これにより、上障子５及び下障子６が連動することが可能になる。
【００４６】
スイング金属縦框４３１及び格子縦縁４３３は、例えばアルミニウムで構成される。より具体的には、スイング金属縦框４３１及び格子縦縁４３３は、アルミニウムを押出成形することで得られる。
スイング樹脂縦框４３２は、例えば塩化ビニル樹脂等の合成樹脂で構成される。より具体的には、スイング樹脂縦框４３２は、塩化ビニル樹脂等の合成樹脂を押出成形することで得られる。
【００４７】
縦框５３は、金属縦框５３１と、金属縦框５３１の屋内側に配置される樹脂縦框５３２と、を含んで構成される。金属縦框５３１は、屋外側において気密材４３１ｂと当接する。樹脂縦框５３２は、吊元側に配置され且つ先端がスイング樹脂縦框４３２に当接するモヘア部材５３２ａを有する。縦框５３は、戸先側に開口して形成される溝５３ａを有し、ガスケット５３ｂを介してガラス５５の側端縁を挟持する。
【００４８】
更に、縦框５３は、吊元側に突出したガイド５３３を有する。ガイド５３３は、上障子５を下方向に移動させる際、また下方向に移動させた上障子５を元の状態に戻す際に、スイング縦框４３に形成された図示しない溝によって案内される。
【００４９】
金属縦框５３１は、例えばアルミニウムで構成される。より具体的には、金属縦框５３１は、アルミニウムを押出成形することで得られる。
樹脂縦框５３２は、例えば塩化ビニル樹脂等の合成樹脂で構成される。より具体的には、樹脂縦框５３２は、塩化ビニル樹脂等の合成樹脂を押出成形することで得られる。
【００５０】
また、下障子６の縦框６４は、吊元側に突出したガイド６４３（図７Ａ参照）を有する。ガイド６４３は、下障子６を上方向に移動させる際、また上方向に移動させた下障子６を元の状態に戻す際に、溝４４ａによって案内される。ガイド６４３には長円形状を有するアーム部６４６の一端部が接続されている。アーム部６４６は、ガイド６４３の軸心を中心として回転可能に支持されている。アーム部６４６の他端部には、被アーム部ガイド６４７が接続されている。
【００５１】
ドアノブ８ａは、戸先側のスイング縦框４４を貫通して配置される。
サムターン８ｂは、デットボルト８ｅを見付方向に進退させる。
【００５２】
戸先側の固定縦枠２４、スイング縦框４４、縦框５４については、それぞれ吊元側の固定縦枠２３、スイング縦框４３、縦框５３と同様の構成については対応する符号を付して説明を省略し、異なる構成について説明する。
【００５３】
戸先側の固定縦枠２４は、デットボルト８ｅの挿入される図示しない受け部を有する。また、戸先側の固定縦枠２４は、ドアノブ８ａによって操作される図示しないラッチボルトの受け部と、サムターン８ｃによって操作されるデットボルト８ｆの図示しない受け部も有する。
【００５４】
以上説明したように、本実施形態に係る建具１における固定枠体２０、スイング框体４０、框体５０及び框体６０は、屋外側が主に金属製の部材によって構成され、屋内側が主に樹脂製の部材によって構成される。従って、建具１は断熱性が高い。
【００５５】
続いて、本実施形態に係る溝４３ａについて詳細に説明する。上記のように、吊元側のスイング縦框４３と、戸先側のスイング縦框４４とは同様の構成であるので、戸先側のスイング縦框４４についてのみ詳細に説明する。
図７Ａは、上記実施形態に係る建具１の採風窓が閉鎖されているときの、ガイド６４３及びアーム部６４６と、ガイド溝４４ａ及びアーム部ガイド溝４４ｄとの位置関係を示す図である。図７Ｂは、上記実施形態に係る建具１の下障子６が上方向且つ見込方向へ移動しているときの、ガイド６４３及びアーム部６４６と、ガイド溝４４ａ及びアーム部ガイド溝４４ｄとの位置関係を示す図である。図７Ｃは、上記実施形態に係る建具１の下障子６が上方向へのみ移動し始めるときの、ガイド６４３及びアーム部６４６と、ガイド溝４４ａ及びアーム部ガイド溝４４ｄとの位置関係を示す図である。図７Ｄは、上記実施形態に係る建具１の採風窓が全開の状態で開放されているときの、ガイド６４３及びアーム部６４６と、ガイド溝４４ａ及びアーム部ガイド溝４４ｄとの位置関係を示す図である。
【００５６】
ガイド溝４４ａは、円弧状部４４ａ−１と直線状部４４ａ−２とを有している。円弧状部４４ａ−１は、ガイド溝４４ａの下端部を構成し、直線状部４４ａ−２は、円弧状部４４ａ−１の上端部よりも上側のガイド溝４４ａの部分を構成している。直線状部４４ａ−２の下端部と円弧状部４４ａ−１の上端部との接続部分は、段差や折れ曲がる角部が生じておらず、滑らかに接続されている。円弧状部４４ａ−１は、所定の値を有する一の半径を有しており、複数種類の半径を有してはいない。円弧状部４４ａ−１は、単体の部品として構成された樹脂製の溝形成部品４４１に形成された円弧状の溝により構成されている。被アーム部ガイド６４７を案内するアーム部ガイド溝４４ｄは、直線状部４４ｄ−２のみを有している。
【００５７】
以下、下障子６を引き上げて、採風窓を開くときの、ガイド６４３、アーム部６４６、及び、被アーム部ガイド６４７と、ガイド溝４４ａ及びアーム部ガイド溝４４ｄと、の位置関係について、説明する。
【００５８】
先ず、採風窓が閉鎖されているときには、ガイド６４３は、図７Ａに示すように、ガイド溝４４ａの円弧状部４４ａ−１の下端部に位置している。この状態から、下障子６が引き上げられることにより、図７Ｂに示すようにガイド６４３は、ガイド溝４４ａの円弧状部４４ａ−１によって案内されてゆく。そして、更に下障子６が引き上げられることにより、図７Ｃに示すように、円弧状部４４ａ−１の上端部に至るまで案内される。このように、図７Ａに示す状態から図７Ｂに示す状態を経て図７Ｃに示す状態へ移行することにより、下障子６は、見付方向（上方向）且つ見込方向（屋内側方向）へ移動する。
そして図７Ｃに示すように、ガイド６４３が、ガイド溝４４ａの直線状部４４ａ−２の下端部に位置している状態から、図７Ｄに示すように、直線状部４４ａ−２の上端部に至るまで案内されることにより、下障子６は、見付方向（上方向）へ移動する。
【００５９】
これに対して図７Ａに示す状態から図７Ｂに示す状態を経て図７Ｄに示す状態へ、ガイド６４３がガイド溝４４ａによって案内されているときに、被アーム部ガイド６４７は、アーム部ガイド溝４４ｄを一直線状に移動する。
【００６０】
以上のようなガイド６４３及び被アーム部ガイド６４７の移動に伴い、アーム部６４６の長手方向に平行な直線、即ち、ガイド６４３とアーム部６４６の他端寄りの部分に設けられている被アーム部ガイド６４７とを結ぶ直線は、図７Ａに示すように、下障子６が採風窓を閉鎖している状態のときには、上下方向へ指向しており、水平線Ｈに対して直交している。
下障子６が引き上げられ始められて図７Ｂに示す状態では、アーム部６４６の長手方向に平行な直線と、水平線Ｈと、のなす角ｄは、徐々に小さくなり鋭角となり、図７Ｃに示すように、ガイド６４３がガイド溝の直線部に案内され始めた状態のときに、当該なす角ｄは、４５°となる。これ以後、ガイド６４３がガイド溝４４ａの直線部４４ａ−１に案内されているときには、当該なす角ｄは変化せずに４５°の値が維持される。なす角ｄは４５°以上であることが好ましい。なす角ｄが４５°未満の場合には、アーム部を含めた下障子６を見込方向へ大きく移動しなければならなくなり、下障子６を引き上げる際に、下障子６が重く感じられるためである。
【００６１】
本実施形態によれば、以下の効果が奏される。
本実施形態では、建具１は、左右の縦枠１３、１４と上下の横枠１１、１２とにより枠組みされた枠体１０と、枠体１０内に配置され、第１框体としての框体５０を有する第１障子としての上障子５と、枠体１０内において、見込方向且つ上下方向に移動可能、又は、上下方向に移動可能に設けられ、閉鎖状態で上障子５の下方に配置され、第２框体としての框体６０を有する第２障子としての下障子６と、を備える。
下障子６は、框体６０に固定されたガイド６４３と、一端部がガイド６４３に対して回動可能にガイド６４３に接続されたアーム部６４６と、を有し、枠体１０は、下障子６の上下方向への移動時に、ガイド６４３の移動を案内するガイド溝４４ａと、アーム部６４６の他端部を案内するアーム部ガイド溝４４ｄと、を有する。下障子６は、３枚以上のガラス６５１、６５２、６５３を有する複層ガラスを備える。下障子６の見込方向且つ上下方向への移動時にガイド６４３が案内されるガイド溝４３ａの部分の形状は、一の半径を有する円弧の一部の形状を有する円弧状部４４ａ−１により構成されている。
【００６２】
複数の円弧形状の溝を接続したような形状を有するガイド溝や、複数の直線形状の溝を接続したような形状を有するガイド溝によってガイド６４３が案内される場合には、これら複数の円弧形状の溝のつなぎ目や、複数の直線形状の溝のつなぎ目において、ガイド６４３が引っ掛かるように案内されるため、この部分を乗り越えるために強い力で下障子６を持上げなければならない。
しかし、本実施形態では、ガイド溝４４ａの円弧状部４４ａ−１は、一の半径を有する１つの円弧の一部の形状を有する円弧形状により構成されているため、前述のようなつなぎ目はなく、ガイド６４３がガイド溝４４ａの円弧状部４４ａ−１において、滑らかに案内されることが可能となる。この結果、下障子６が３枚以上のガラスを有する複層ガラスを備えていて、重量が大きい場合であっても、下障子６を引き上げ始めて上下方向且つ見込方向へ移動させているときに、移動（採風窓を開くため）に必要な力を低減することが可能となり、下障子６を引き上げる際に、下障子６が重く感じられることを軽減することが可能となる。
【００６３】
また、本実施形態では、建具１は、滑車を備えている。第１障子としての上障子５は、上下方向へ移動可能に枠体１０に支持されている。上障子５と下障子６とは、連動可能に、滑車に掛けられた線状部材としてのワイヤに接続されている。
【００６４】
これにより、下障子６を引き上げ始めて上障子５と下障子６とを有する採風窓を開き始めたときに、上障子５と下障子６とが連動して下障子６のみならず上障子５も移動させ始めることになるが、このような構成であっても、下障子６を引き上げ始めて上下方向且つ見込方向へ移動させているときに、下障子６及び上障子５の移動に必要な力を低減することが可能である。
【００６５】
また、本実施形態では、水平線Ｈと、ガイド６４３とアーム部６４６の他端部とを結ぶ直線と、のなす角ｄは、４５°である。これにより、下障子６を引き上げ始めて上下方向且つ見込方向へ移動させているときに、見込方向へ大きく移動させることを抑えることが可能となり、これにより、この移動に必要な力を低減することが可能となる。
【００６６】
なお、本発明は上記実施形態に限定されるものではなく、本発明の目的を達成できる範囲での変形、改良等は本発明に含まれる。
【００６７】
例えば、上記実施形態では、建具１は、採風窓を有するドアにより構成されていたが、この構成に限定されない。例えば、建具は、上げ下げ窓により構成されてもよい。
【００６８】
また、上記実施形態では、アーム部６４６の一端部にガイド６４３が接続され、アーム部６３６の他端部に被アーム部ガイド６４７が接続されていたが、この構成に限定されない。アーム部の一端寄りの部分にガイドが接続され、アーム部の他端寄りの部分に被アーム部ガイドが接続されていてもよい。
【００６９】
また、上記実施形態では、上障子５、下障子６は、それぞれ３枚の板ガラスを備える複層ガラスであったが、この構成に限定されない。少なくとも下障子は、３枚以上の枚数を有する複層ガラスを備えていればよい。
【００７０】
また、上記実施形態では線状部材は、ワイヤにより構成されたが、ワイヤに限定されない。また、水平線Ｈと、ガイド６４３とアーム部６４６の他端寄りの部分とを結ぶ直線と、のなす角ｄは、４５°であったが、この構成に限定されない。水平線と、ガイドとアーム部の他端寄りの部分とを結ぶ直線と、のなす角は、４５°以上であればよい。
【００７１】
また、上記実施形態では、ガイド溝４４ａを形成する円弧状部４４ａ−１は、単体の部品である樹脂製の溝形成部品４４１に形成されていたが、この構成に限定されない。溝形成部品４４１のような部品により構成されなくてもよい。
【００７２】
また、上記実施形態では、シリンダーを有したドアを用いたが、シリンダーレス仕様のドアを用いてもよい。更に、本実施形態における戸体４は、吊り元側を左右反対側にして時計回り回動するドアとしてもよい。
【符号の説明】
【００７３】
５…上障子
６…下障子
４０…スイング框体
４１…スイング上框
４２…スイング下框
４３…スイング縦框
４４…スイング縦框
４４ａ…ガイド溝
４４ｄ…アーム部ガイド溝
４４ａ−１…円弧状部
５０…框体
６０…框体
６４３…ガイド
６４６…アーム部
Ｈ…水平線
ｄ…なす角
【図１】
0006763695.tif 000002
【図２】
0006763695.tif 000003
【図３】
0006763695.tif 000004
【図４】
0006763695.tif 000005
【図５】
0006763695.tif 000006
【図６】
0006763695.tif 000007
【図７Ａ】
0006763695.tif 000008
【図７Ｂ】
0006763695.tif 000009
【図７Ｃ】
0006763695.tif 000010
【図７Ｄ】
0006763695.tif 000011